(57)【要約】【課題】本発明は、自動車等における内燃機関の点火プラグに対して高電圧を供給し、火花放電を発生させる際に発生する雑音の除去または耐雑音性向上用のコンデンサを備えた内燃機関用点火コイルに関するものである。【解決手段】雑音除去または耐雑音性向上用コンデンサは、チップコンデンサとすることにより、シビアなフォーミングが不要となるため、取り付けを行う自動組立機を容易に採用することができる。また、前記チップコンデンサの機械的支持および電気的接続を行う端子は、前記チップコンデンサの載置部と、抱持部とを備えている。前記チップコンデンサは、リードがないため、載置部に載置するとともに、抱持部により搬送等による振動があっても所定位置から移動することがなく、正しい取り付けが可能である。【選択図】図１
2007231753.tif 000002
【特許請求の範囲】
【請求項１】
一次コイルおよび二次コイルと、前記一次コイルおよび二次コイルを磁気的に結合する鉄心と、前記一次コイルにおける電流の通電および遮断を点火信号に基づいて行うパワースイッチと、前記二次コイルに発生した高電圧により火花を発生する点火プラグと、雑音除去または耐雑音性向上用コンデンサとから少なくとも構成される内燃機関用点火コイルにおいて、
前記雑音除去または耐雑音性向上用コンデンサは、チップコンデンサからなることを特徴とする内燃機関用点火コイル。
【請求項２】
前記チップコンデンサの機械的支持および電気的接続を行う端子は、前記チップコンデンサの位置決めと仮止めが可能な形状を備えていることを特徴とする請求項１に記載された内燃機関用点火コイル。
【請求項３】
前記チップコンデンサの機械的支持および電気的接続を行う端子は、
前記チップコンデンサの載置部と、抱持部とを備えていることを特徴とする請求項１または請求項２に記載された内燃機関用点火コイル。
【請求項４】
前記チップコンデンサの機械的支持および電気的接続を行う端子は、
一次端子に接続された直立片と、
前記直立片に連設されているとともに、折り曲げられた折曲片と、
前記折曲片に連結されているとともに、前記チップコンデンサを載置する載置片と、
前記載置片に連結し、前記チップコンデンサを抱持する抱持片と、
を備えていることを特徴とする請求項１から請求項３のいずれか１項に記載された内燃機関用点火コイル。
【請求項５】
一次コイルおよび二次コイルと、前記一次コイルおよび二次コイルを磁気的に結合する鉄心と、前記一次コイルにおける電流の通電および遮断を点火信号に基づいて行うパワースイッチと、前記二次コイルに発生した高電圧により火花を発生する点火プラグと、雑音除去または耐雑音性向上用コンデンサとから少なくとも構成される内燃機関用点火コイルにおいて、
一次端子に接続された直立片と、
前記直立片に連設されているとともに、折り曲げられた折曲片と、
前記折曲片に連設され、前記コンデンサのリードを挿入できる開口部を有する載置片と、
から構成されるコンデンサの機械的支持および電気的接続を行う端子を備えていることを特徴とする内燃機関用点火コイル。
【発明の詳細な説明】
【技術分野】
【０００１】
本発明は、自動車等における内燃機関の点火プラグに対して高電圧を供給し、火花放電を発生させる際に発生する雑音の除去または耐雑音性向上用のコンデンサを備えた内燃機関用点火コイルに関するものである。特に、本発明は、コンデンサの位置決めまたは仮止めが容易な端子を備えた内燃機関用点火コイルに関するものである。
【０００２】
本発明は、前記コンデンサをチップコンデンサとすることで、位置決めまたは仮止めが容易で、かつ、安価な内燃機関用点火コイルを得ることができる。本明細書において、「チップコンデンサ」とは、コンデンサ素子に電極を設け、主として、面実装に適する角形または円筒形の小型コンデンサであり、一般に、リード線を有していないものである。
【背景技術】
【０００３】
図２（イ）から（ニ）は従来例における内燃機関用点火コイルの端子に接続するコンデンサリードのフォーミングを説明するための図である。図２（イ）において、コンデンサ２１は、リード２２′を所定の間隔に広げることにより、コネクタから延設された端子に接続される。図２（ロ）から（ニ）におけるコンデンサ２１は、リード２２′の形状を前記コネクタから延設された端子に合わすような形状にフォーミングされている。
【０００４】
図３（イ）から（ハ）は従来例における内燃機関用点火コイルの雑音防止用コンデンサの取り付けを説明するための図である。図３（イ）における内燃機関用点火コイルのケース３０は、コネクタソケット３０１と、前記コネクタソケット３０１と反対側に設けられている取付孔３０２と、前記コネクタソケット３０１と取付孔３０２の間に成形されているコイル収納部３０３とから少なくとも構成されている。前記コイル収納部３０３には、コイルおよび鉄心３０４と、イグナイタ収納部３０５と、コンデンサ収納部３０６が設けられている。
【０００５】
図３（ロ）および（ハ）において、前記コンデンサ収納部３０６は、コンデンサ２１の収納部であり、前記ケース３０にコイル収納部３０３と同時に成形される。前記コンデンサ収納部３０６には、コンデンサ２１のリード２２′を案内するガイド３２が設けられている。また、前記ガイド３２には、前記コンデンサ２１のリード２２′をガイドする溝が設けられている。
【０００６】
前記コンデンサ２１は、コンデンサ収納部３０６に頭部から挿入して、予めフォーミングされたリード２２′がガイド３２の溝に嵌合された後、端子３１、３１′にそれぞれ溶接される。その他に、コイル収納部３０３にコンデンサ２１が挿入されている内燃機関用点火コイルは、特開２００２−１９５１４３号公報に記載されている。
【特許文献１】特開２００２−１９５１４３号公報
【発明の開示】
【発明が解決しようとする課題】
【０００７】
しかし、前記コンデンサ２１のリード２２′は、端子３１、３１′に電気的な接続および位置決めを行うために、所定の間隔と形状にフォーミングを予めする必要があった。また、前記フォーミングは、前記ガイド３２の形状に合わせる必要があり、シビアな寸法が要求されるため、コストが高価になるという課題を有していた。また、前記内燃機関用点火コイルは、コイル組立体、イグナイタ、コンデンサ等を組み立てる際に、たとえば、自動組立機を使用する場合がある。そのような場合、前記コンデンサ２１は、仮止めが必要になる。しかし、前記コンデンサ２１は、端子３１、３１′との仮止めができなかった。
【０００８】
以上のような課題を解決するために、本発明は、コンデンサの位置決めや仮止めができる形状の端子を備えた内燃機関用点火コイルを提供することを目的とする。また、本発明は、安価でかつ製造が容易な形状の端子を備えた内燃機関用点火コイルを提供することを目的とする。
【課題を解決するための手段】
【０００９】
（第１発明）
第１発明の内燃機関用点火コイルは、一次コイルおよび二次コイルと、前記一次コイルおよび二次コイルを磁気的に結合する鉄心と、前記一次コイルにおける電流の通電および遮断を点火信号に基づいて行うパワースイッチと、前記二次コイルに発生した高電圧により火花を発生する点火プラグと、雑音除去または耐雑音性向上用コンデンサとから少なくとも構成されており、前記雑音除去または耐雑音性向上用コンデンサは、チップコンデンサからなることを特徴とする。
【００１０】
（第２発明）
第２発明の内燃機関用点火コイルにおいて、第１発明におけるチップコンデンサの機械的支持および電気的接続を行う端子は、前記チップコンデンサの位置決めと仮止めが可能な形状を備えていることを特徴とする。
【００１１】
（第３発明）
第３発明の内燃機関用点火コイルにおいて、第１発明または第２発明におけるチップコンデンサの機械的支持および電気的接続を行う端子は、前記チップコンデンサの載置部と、抱持部とを備えていることを特徴とする。
【００１２】
（第４発明）
第４発明の内燃機関用点火コイルにおいて、第１発明から第３発明におけるチップコンデンサの機械的支持および電気的接続を行う端子は、一次端子に接続された直立片と、前記直立片に連設されているとともに、折り曲げられた折曲片と、前記折曲片に連結されているとともに、前記チップコンデンサを載置する載置片と、前記載置片に連結し、前記チップコンデンサを抱持する抱持片とを備えていることを特徴とする。
【００１３】
（第５発明）
第５発明の内燃機関用点火コイルは、一次コイルおよび二次コイルと、前記一次コイルおよび二次コイルを磁気的に結合する鉄心と、前記一次コイルにおける電流の通電および遮断を点火信号に基づいて行うパワースイッチと、前記二次コイルに発生した高電圧により火花を発生する点火プラグと、雑音除去または耐雑音性向上用コンデンサとから少なくとも構成されており、一次端子に接続された直立片と、前記直立片に連設されているとともに、折り曲げられた折曲片と、前記折曲片に連設され、前記コンデンサのリードを挿入できる開口部を有する載置片とから構成されるコンデンサの機械的支持および電気的接続を行う端子を備えていることを特徴とする。
【発明の効果】
【００１４】
本発明によれば、コンデンサを位置決めまたは仮止めできる形状にしたため、リードのフォーミングが不要になり、安価な内燃機関用点火コイルとすることができる。
【００１５】
本発明によれば、コンデンサをチップコンデンサとし、前記チップコンデンサを載置または抱持する端子を備えることにより、リードを有するコンデンサと比較して、安価な内燃機関用点火コイルとすることができる。
【００１６】
本発明によれば、コンデンサのリードをフォーミングする必要がないため、安価で、組み立てが容易な内燃機関用点火コイルとすることができる。
【００１７】
本発明によれば、端子によりコンデンサを保持または位置決めできるため、ガイド部が不要となり、構造が簡単で安価な内燃機関用点火コイルとすることができる。
【発明を実施するための最良の形態】
【００１８】
（第１発明）
第１発明の内燃機関用点火コイルは、一次コイルおよび二次コイルと、前記一次コイルおよび二次コイルを磁気的に結合する鉄心と、前記一次コイルにおける電流の通電および遮断を点火信号に基づいて行うパワースイッチと、前記二次コイルに発生した高電圧により火花を発生する点火プラグと、雑音除去または耐雑音性向上用コンデンサとから少なくとも構成される。前記雑音除去または耐雑音性向上用コンデンサは、チップコンデンサとすることにより、シビアなフォーミングが不要となるため、取り付けを行う自動組立機を容易に採用することができる。
【００１９】
（第２発明）
第２発明の内燃機関用点火コイルにおいて、第１発明におけるチップコンデンサの機械的支持および電気的接続を行う端子は、前記チップコンデンサにリードがないため、簡単な形状によって位置決めと仮止めが可能になる。
【００２０】
（第３発明）
第３発明の内燃機関用点火コイルにおいて、第１発明および第２発明におけるチップコンデンサの機械的支持および電気的接続を行う端子は、前記チップコンデンサの載置部と、抱持部とを備えている。前記チップコンデンサは、リードがないため、載置部に載置するとともに、抱持部により搬送等による振動があっても所定位置から移動することがなく、正しい取り付けが可能である。
【００２１】
（第４発明）
第４発明の内燃機関用点火コイルにおいて、第１発明から第３発明のチップコンデンサの機械的支持および電気的接続を行う端子は、直立片と、折曲片と、載置片と、抱持片とが一対として構成されている。前記直立片は、一次端子から直立するように接続されている。前記折曲片は、前記直立片に連設されているとともに、折り返すように折り曲げられており、折り曲げる際の角度により、チップコンデンサの長さに対応できるだけでなく、前記チップコンデンサの長さ方向の移動を無くすことができる。
【００２２】
前記折曲片に連結されている載置片は、前記チップコンデンサを載置できる面を備えている。前記抱持片は、前記載置片に連結し、前記チップコンデンサを抱持することにより、前記チップコンデンサの横方向の移動を無くすことができる。前記載置片および抱持片は、前記チップコンデンサの外形に沿った形状にすることにより、前記チップコンデンサの位置決めおよび仮止めが容易にできる。
【００２３】
（第５発明）
第５発明の内燃機関用点火コイルは、雑音除去または耐雑音性向上用コンデンサがチップコンデンサの代わりにリードを備えたコンデンサである点で第１発明と異なっている。コンデンサの機械的支持および電気的接続を行う端子は、直立片と、折曲片と、載置片とが一対として構成されている。前記直立片は、一次端子に接続されている。前記折曲片は、前記直立片に連設されているとともに、折り曲げ角度を所定の角度にして折り曲げられる。前記端子の距離は、前記折曲片の折り曲げ角度により調整することができる。
【００２４】
前記折曲片に連設された載置片には、前記コンデンサのリードを挿入できる開口部が備えられている。前記コンデンサのリードは、前記開口部に挿入されることにより、位置決めおよび仮止めが可能であり、前記リードと開口部の間にハンダ等が挿入されることにより、取り付け強度を高くすることができる。前記コンデンサの機械的支持および電気的接続を行う端子は、前記コンデンサのリードをフォーミングする必要がないだけでなく、折曲片の角度を調整することで、取り付けを容易にすることができる。
【実施例１】
【００２５】
図１（イ）から（ハ）は本発明の第１実施例である内燃機関用点火コイルにおける雑音除去または耐雑音性向上用コンデンサを端子に取り付ける状態を説明する図である。本発明の内燃機関用点火コイルは、図示されていないが、一次コイルおよび二次コイルと、前記一次コイルおよび二次コイルを磁気的に結合する鉄心と、前記一次コイルにおける電流の通電および遮断を点火信号に基づいて行うパワースイッチと、前記二次コイルに発生した高電圧により火花を発生する点火プラグと、雑音除去または耐雑音性向上用コンデンサとから少なくとも構成されている。
【００２６】
図１（イ）において、雑音除去または耐雑音性向上用チップコンデンサ１１は、コンデンサ１１１と、前記コンデンサ１１１の両端に設けられた電極１１２、１１３とから構成されている。図１（ロ）において、図示されていないコネクタ一次端子に延設された一対の端子１２は、直立片１２１と、折曲片１２２と、載置片１２３と、抱持片１２４、１２４′とから構成されている。前記コネクタ一次端子に延設されている直立片１２１は、頂部で折り曲げられ、折曲片１２２を介して載置片１２３に連設される。また、前記載置片１２３は、両側から起立し、チップコンデンサ１１の電極部を抱持する抱持片１２４、１２４′が成形されている。
【００２７】
前記折曲片１２２は、折り曲げ角度を変えることにより、チップコンデンサ１１の長さに対応できるようになっている。また、前記載置片１２３および抱持片１２４、１２４′の形状は、チップコンデンサ１１の形状により、角形、円筒型等に適合するように成形される。図１（ハ）における角形のチップコンデンサ１１は、その両端の電極において、端子１２、１２′に接続された状態が示されている。
【実施例２】
【００２８】
図１（ニ）は本発明の第２実施例である内燃機関用点火コイルにおける雑音除去または耐雑音性向上用コンデンサを端子に取り付ける状態を説明する図で、（ホ）はリード付コンデンサを説明する図である。図１（ニ）において、一対の端子１２、１２′は、直立片１２１と、折曲片１２２と、載置片１２３とから構成されている。前記コネクタ一次端子に延設されている直立片１２１は、頂部で折り曲げられ、折曲片１２２を介して載置片１２３に連設される。また、前記載置片１２３は、載置面にコンデンサ（図示されていない）のリードを挿入する開口１２５、１２５′が成形されている。
【００２９】
前記折曲片１２２は、折り曲げ角度を変えることにより、前記コンデンサのリード間隔ｄに対応させることができる。また、前記コンデンサは、そのリード２２を前記開口１２５、１２５′に挿入した後、ハンダ付け等を行う。前記開口１２５、１２５′は、前記リード２２との間に多少余裕があるように成形されているため、ハンダが入り固着を堅固に行うことができる。また、前記コンデンサのリード２２は、フォーミングを行う必要がなく、間隔ｄを端子１２、１２′によって容易に調整することができる。
【００３０】
以上、本発明の実施例を詳述したが、本発明は、前記実施例に限定されるものではない。そして、本発明は、特許請求の範囲に記載された事項を逸脱することがなければ、種々の設計変更を行うことが可能である。たとえば、本実施例におけるコンデンサ、内燃機関用点火コイル、端子およびケースの材質は、公知または周知のものを採用することができる。
【図面の簡単な説明】
【００３１】
【図１】（イ）から（ハ）は本発明の第１実施例である内燃機関用点火コイルにおける雑音除去または耐雑音性向上用コンデンサを端子に取り付ける状態を説明する図である。（実施例１）  図１（ニ）は本発明の第２実施例である内燃機関用点火コイルにおける雑音除去または耐雑音性向上用コンデンサを端子に取り付ける状態を説明する図で、（ホ）はリード付コンデンサを説明する図である。（実施例２）
【図２】（イ）から（ニ）は従来例における内燃機関用点火コイルの端子に接続するコンデンサリードのフォーミングを説明するための図である。
【図３】（イ）から（ハ）は従来例における内燃機関用点火コイルの雑音防止用コンデンサの取り付けを説明するための図である。
【符号の説明】
【００３２】
１１・・・チップコンデンサ
１１１・・・コンデンサ
１１２、１１３・・・電極
１２、１２′・・・端子
１２１・・・直立片
１２２・・・折曲片
１２３・・・載置片
１２４、１２４′・・・抱持片
１２５、１２５′・・・開口
【図１】
2007231753.tif 000003
【図２】
2007231753.tif 000004
【図３】
2007231753.tif 000005